(57)【要約】【課題】  小型化できるとともに、収納ケース等の所定の空間内の湿度を適正状態に維持できる調湿装置を提供すること。【解決手段】  調湿装置１０を、ペルチェ素子１１と、高分子吸収体層１４と、湿度センサ１２と、コントローラ１３とで構成した。そして、ペルチェ素子１１に通電する電流の向きを変更することにより下側絶縁基板１５と上側絶縁基板１６とを吸熱面と放熱面とに切り替え可能にした。また、高分子吸収体層１４を、冷却されたときに空気中の水分を吸収し、加熱されたときに吸収した水分を空気中に発散する材料で構成して、上側絶縁基板１６に取り付けた。さらに、調湿装置１０における高分子吸収体層１４と湿度センサ１４とを楽器カース２０内の空間に設置して、湿度センサ１４の検出値に応じてコントローラ１３がペルチェ素子１１に対する通電状態を制御するようにした。【選択図】  図１
2008261528.tif 000002
【特許請求の範囲】
【請求項１】
通電されることにより一方の面が吸熱面になるとともに他方の面が放熱面になり、通電される電流の向きを変更することにより前記吸熱面と前記放熱面とを切り替えて前記吸熱面と前記放熱面との間で熱変換するペルチェ素子と、
前記ペルチェ素子の一方の面に取り付けられ、所定温度未満になったときに空気中に含まれる水分を吸収し、前記所定温度以上になったときに吸収した水分を空気中に発散する高分子吸収体層とを備えたことを特徴とする調湿装置。
【請求項２】
前記調湿装置における少なくとも高分子吸収体層を所定の空間内に設置して、前記空間内の湿度を検出する湿度センサと、前記湿度センサの検出値に応じて前記ペルチェ素子に対する通電状態を制御する制御装置とを設けた請求項１に記載の調湿装置。
【請求項３】
前記ペルチェ素子における前記高分子吸収体層が取り付けられる一方の面に高分子吸収体層取付用の空間部を備えた金属またはセラミックからなる構造体を設け、前記金属またはセラミックからなる構造体を介して前記高分子吸収体層を取り付けた請求項１または２に記載の調湿装置。
【請求項４】
前記高分子吸収体層内に金属またはセラミックからなる粉状体または粒状体を混在させた請求項１ないし３のうちのいずれか一つに記載の調湿装置。
【発明の詳細な説明】
【技術分野】
【０００１】
本発明は、ペルチェ素子の熱電交換作用を利用して所定の空間内の湿度を調節する調湿装置に関する。
【背景技術】
【０００２】
従来から、ペルチェ効果を利用して熱電変換を行うペルチェ素子が冷却装置や加熱装置等の各種の装置に用いられている。このペルチェ素子は、平行して配置された一対の絶縁基板における相対向する内側の面の所定箇所に複数の電極を形成し、この相対向する電極にそれぞれ熱電素子の上下の端面をハンダ付けすることにより、一対の絶縁基板間に複数の熱電素子を固定して構成されている。そして、所定の電極に接続されたリード線を介して、ペルチェ素子に通電することにより、吸熱側の絶縁基板を冷却し、放熱側の絶縁基板を加熱できるように構成されている。このようなペルチェ素子の中に、所定の空間内の湿度を調節するための調湿装置に用いられるものがある（例えば、特許文献１参照）。
【０００３】
この撮像装置（調湿装置）では、２個のペルチェ素子が用いられており、一方のペルチェ素子は、ＣＣＤの温度が上昇して画像が劣化することを防止するためのもので、ＣＣＤを冷却するために設けられている。また、他方のペルチェ素子は、ＣＣＤを冷却することによって撮像装置内に結露が発生することを防止するためのもので、シリカゲルと組み合わせて用いられている。すなわち、他方のペルチェ素子は、冷却面をシリカゲルに密着させた状態で設置されており、シリカゲルを冷却することによってシリカゲルの冷却効果（吸湿効果）を高める。これによって、撮像装置内に結露が発生することが防止される。
【特許文献１】特開２００５−２０４０６２号公報
【発明の開示】
【０００４】
しかしながら、前述した撮像装置は、使用により高熱を発生するＣＣＤを冷却しながら作動させるものであるため、結露防止のために用いられるシリカゲルの量が多量になる。このため、ペルチェ素子の大きさによりもシリカゲルの大きさの方がはるかに大きくなり、撮像装置が大型化する。また、このようなペルチェ素子とシリカゲルとを、撮像装置のように高熱を発生する装置以外の装置や収納ケース等が備える空間で使用するには不向きである。
【０００５】
本発明は、前述した問題に対処するためになされたもので、その目的は、小型化できるとともに、収納ケース等の所定の空間内の湿度を適正状態に維持できる調湿装置を提供することである。
【０００６】
前述した目的を達成するため、本発明に係る調湿装置の構成上の特徴は、通電されることにより一方の面が吸熱面になるとともに他方の面が放熱面になり、通電される電流の向きを変更することにより吸熱面と放熱面とを切り替えて吸熱面と放熱面との間で熱変換するペルチェ素子と、ペルチェ素子の一方の面に取り付けられ、所定温度未満になったときに空気中に含まれる水分を吸収し、所定温度以上になったときに吸収した水分を空気中に発散する高分子吸収体層とを備えたことにある。
【０００７】
このように構成した本発明の調湿装置では、通電されることによりペルチェ素子の一方の面が吸熱面になるときには高分子吸収体層は冷却され、通電される電流の向きを変更することによりペルチェ素子の一方の面が放熱面になるときには高分子吸収体層は加熱される。このため、ペルチェ素子への通電状態を切り替えることにより、高分子吸収体層に水分を吸収させたり、その吸収した水分を空気中に発散させたりすることができる。これによって、調湿装置が設置される所定の空間内の湿度を略一定の状態に維持することができる。この場合のペルチェ素子への通電状態の切り替えは、電流のプラスとマイナスとを切り替えたり、電流の大きさを変更したりすることによって行う。
【０００８】
また、高分子吸収体層としては、天然高分子類や合成高分子類からなる層状に形成された成形物を用いることができる。天然高分子類としては、デンプン系（デンプン−アクリロニトリルグラフト重合体加水分解物等）、セルロース系（セルロース−アクリロニトロリルグラフト重合体等）、その他の多糖類系（ヒアルロン酸等）、たんぱく質（コラーゲン等）等がある。また、合成高分子類としては、ポリビニルアルコール系（ポリビニルアルコール架橋重合体等）、アクリル系（ポリアクリル酸ナトリウム架橋体等）、その他の付加重合体（無水マレイン酸系（共）重合体等）、ポリエーテル系（ポリエチレングリコール・ジアクリレート架橋重合体等）、縮合系ポリマー（エステル系ポリマー等）等がある。
【０００９】
これらの高分子吸収体層を構成する材料は、イオン性を有する基をもった水溶性の電解質ポリマーに軽度の架橋結合を導入した３次元網目構造を備えたものであり、製造方法や特性についてはそれぞれ異なっているが、すべてのものが吸水性を備えている。このため、調湿装置の用途に応じて、適宜高分子吸収体層を構成する材料を選択することができ、吸水速度、機械的強度、化学的安定性等の優れたものを選択することがより好ましい。例えば、調湿装置を、携帯が可能な楽器ケース内の空間の湿度を一定に保持するために使用する場合であれば、高分子吸収体層を構成する材料としてアクリル系のポリアクリル酸ナトリウム架橋体を用いることが最も好ましい。
【００１０】
また、本発明に係る調湿装置の他の構成上の特徴は、調湿装置における少なくとも高分子吸収体層を所定の空間内に設置して、空間内の湿度を検出する湿度センサと、湿度センサの検出値に応じてペルチェ素子に対する通電状態を制御する制御装置とを設けたことにある。これによると、調湿装置における少なくとも高分子吸収体層が設置される空間の湿度を検出しながらペルチェ素子のきめ細かい通電制御が可能になる。これによって、調湿装置が設置される空間の調湿をより精度よく調節できるようになる。
【００１１】
また、本発明に係る調湿装置のさらに他の構成上の特徴は、ペルチェ素子における高分子吸収体層が取り付けられる一方の面に高分子吸収体層取付用の空間部を備えた金属またはセラミックからなる構造体を設け、金属またはセラミックからなる構造体を介して高分子吸収体層を取り付けたことにある。
【００１２】
この場合の金属またはセラミックからなる構造体としては、剣山のように複数の針からなるものや網状や枠状のもの、またはそれらを組み合わせたもの等で構成することができ、これによるとペルチェ素子の一方の面の冷たさや熱さを素早く高分子吸収体層に伝達することができる。すなわち、ペルチェ素子の一方の面を冷却することにより、高分子吸収体層を素早く冷却でき、ペルチェ素子の一方の面を加熱することにより、高分子吸収体層を素早く加熱できる。また、金属またはセラミックからなる構造体を介して高分子吸収体層を取り付けることにより、高分子吸収体層の取り付けがより強固になる。なお、金属またはセラミックからなる構造体を構成する材料としては、銅やアルミ二ウム等の熱伝導性の優れた金属材料または窒化アルミニウムや酸化アルミニウム等の熱伝導性の優れたセラミック材料を用いることが好ましい。
【００１３】
また、本発明に係る調湿装置のさらに他の構成上の特徴は、高分子吸収体層内に金属またはセラミックからなる粉状体または粒状体を混在させたことにある。これによっても、ペルチェ素子における高分子吸収体層が取り付けられた一方の面の熱を素早く高分子吸収体層に伝達することができる。また、この金属またはセラミックからなる粉状体および粒状体は、金属またはセラミックからなる構造体と併用して用いてもよいし、単独で用いてもよい。
【発明を実施するための最良の形態】
【００１４】
（第１実施形態）
以下、本発明の一実施形態を図面を用いて説明する。図１は、同実施形態に係る調湿装置１０を備えた楽器ケース２０を示している。楽器ケース２０は、例えば、木製の楽器を適正な状態で収容するための携帯用の収容ケースで構成されており、内部には略密封された湿度制御空間が形成されている。そして、調湿装置１０は、楽器ケース２０にそれぞれ取り付けられたペルチェ素子１１、湿度センサ１２、電源を備えたコントローラ１３およびペルチェ素子１１の上面に取り付けられた高分子吸収体層１４とで構成されている。
【００１５】
ペルチェ素子１１は、図２に示したように、下側絶縁基板１５と上側絶縁基板１６とからなる一対の絶縁基板を備えており、下側絶縁基板１５の上面に複数の電極１５ａが一定間隔を保って取り付けられ、上側絶縁基板１６の下面に複数の電極１６ａが一定間隔を保って取り付けられている。そして、複数の熱電素子１７が、それぞれ下端面を電極１５ａにハンダ付けにより固定され、上端面を電極１６ａにハンダ付けにより固定されて下側絶縁基板１５と上側絶縁基板１６とを一体的に連結している。
【００１６】
電極１５ａと電極１６ａは、それぞれ熱電素子１７の断面の略一個分に等しい距離をずらして取り付けられている。そして、下側絶縁基板１５の電極１５ａのうちの下側絶縁基板１５の端部側に配置された２個の電極１５ａには熱電素子１７が１個だけ接合されており、他の電極１５ａにはそれぞれ２個の熱電素子１７が接合されている。熱電素子１７が１個だけ接合された電極１５ａにおける熱電素子１７が接合された部分の反対側には、一対のリード線１３ａ（１本しか図示せず）が取り付けられており、このリード線１３ａを介してコントローラ１３の電源から通電可能になっている。また、上側絶縁基板１６の電極１６ａにはそれぞれ２個の熱電素子１７が接合されている。
【００１７】
下側絶縁基板１５および上側絶縁基板１６は、アルミナで構成され、電極１５ａ，１６ａは薄い銅板で構成されている。また、熱電素子１７は、直方体に形成されたビスマス・テルル系の合金で構成されている。また、このペルチェ素子１１は、通電される電流の大きさに応じて、一方の絶縁基板が加熱され、他方の絶縁基板が冷却される。この通電により冷却される絶縁基板が吸熱面を構成し、通電により加熱される絶縁基板が放熱面を構成する。また、通電する電流のプラスとマイナスとを切り換えることにより、その吸熱面と放熱面とが切り替わる。
【００１８】
そして、ペルチェ素子１１は、上側絶縁基板１６を湿度制御空間内に位置させた状態で、楽器ケース２０の下面に取り付けられている。また、ペルチェ素子１１の上側絶縁基板１６の上面には、高分子吸収体層１４が形成されている。この高分子吸収体層１４は、ポリアクリル酸ナトリウム架橋系のアクアリック粉末（商品名：日本触媒化学製）にアクリル樹脂を３０％混合して成形したシートを２枚の不繊布間に挟み込んだもので接着剤によってペルチェ素子１１に取り付けられている。
【００１９】
また、アクアリック粉末とアクリル樹脂とからなるシートと不繊布とは吸着用粉末を介して成形されており、吸着用粉末には、雑菌が繁殖することを防止する銀粉末が含まれている。これによって、高分子吸収体層１４が吸収した水に雑菌が繁殖することが防止される。このように構成された高分子吸収体層１４は、冷却されることにより楽器ケース２０内の湿度制御空間に含まれる水分を吸収して楽器ケース２０内を除湿する。また、高分子吸収体層１４は、加熱されることにより吸収した水分を楽器ケース２０内の湿度制御空間に発散する。
【００２０】
湿度センサ１２は、楽器ケース２０の湿度制御空間内に設置され、楽器ケース２０内の湿度を検出する。また、湿度センサ１２は、リード線１３ｂを介してコントローラ１３に接続されており、検出した楽器ケース２０内の湿度を信号としてコントローラ１３に送信する。コントローラ１３には、図示していないが、電源の他、ＣＰＵ、ＲＡＭやＲＯＭからなるメモリ、ペルチェ素子１１への通電状態を切り替えるための切り替えスイッチ、調湿装置１０を作動させたり、その作動を停止させたりする始動・停止スイッチ等が備わっている。
【００２１】
メモリには、ペルチェ素子１１を作動させることにより、楽器ケース２０内の湿度を予め設定された湿度に保つためのプログラムが記憶されており、ＣＰＵは、そのプラグラムおよび湿度センサ１２から送られる湿度の検出信号に応じてペルチェ素子１１を作動させる。また、予め設定される楽器ケース２０内の設定湿度は、楽器ケース２０内に収容される楽器の種類や特性および雰囲気温度等も考慮した総合的な条件に基づいて適宜設定される。さらに、楽器ケース２０における調湿装置１０が設けられた部分には、調湿装置１０を覆う被覆部が設けられており、この被覆部によって、調湿装置１０におけるスイッチ等の操作部材以外の部分は外部から見えなくなっている。
【００２２】
この構成において、調湿装置１０を作動させる場合には、まず、楽器ケース２０内に所定の楽器を収納した状態で、始動・停止スイッチをオンにする。この場合、例えば、設定湿度が６０％で、湿度センサ１２が検出した楽器ケース２０内の湿度が設定湿度よりも高い８０％程度であるとすれば、ペルチェ素子１１の上側絶縁基板１６は吸熱面となり、下側絶縁基板１５は放熱面となる。このため、高分子吸収体層１４は、上側絶縁基板１６によって冷却され、楽器ケース２０内の空気中に含まれる水分を吸収して楽器ケース２０内を除湿する。
【００２３】
このような環境下で、ペルチェ素子１１として、最大電流Ｉmaxが５Ａ、最大電圧Ｖmaxが１６Ｖ、最大消費電力Ｑmaxが４０Ｗ、下側絶縁基板１５と上側絶縁基板１６との間の最大温度差ΔＴmaxが８０℃の特性を備えたものを用い、このペルチェ素子１１に１Ａの電流を流して時間の経過に対する湿度の変化を見ていく実験を行った。その結果、図３に示したように、時間の経過とともに、楽器ケース２０内の湿度は徐々に低下していき、略１０分程度経過したときには、楽器ケース２０内の湿度は６０％程度の適度な湿度になった。
【００２４】
そして、略１０分経過したのちには、楽器ケース２０内の湿度は６０％程度に維持された。このため、このような状態の楽器ケース２０内に保管された楽器は、適正な状態に保持される。また、設定湿度が７０％で、湿度センサ１２が検出した楽器ケース２０内の湿度が設定湿度よりも低い６０％程度である場合の実験を行ったところ、切り替えスイッチが作動して、コントローラ１３の電源からペルチェ素子１１に流される電流のプラスとマイナスとが切り替わった。
【００２５】
これによって、ペルチェ素子１１の上側絶縁基板１６は放熱面となり、下側絶縁基板１５は吸熱面となった。このため、高分子吸収体層１４は、上側絶縁基板１６によって加熱され、すでに吸収している水分を楽器ケース２０内の空気中に発散し始める。これによって、楽器ケース２０内は加湿されていく。この場合、図４に示したように、時間の経過とともに、楽器ケース２０内の湿度は徐々に上昇していき、略１０分程度経過したときには、楽器ケース２０内の湿度は７０％程度の適度な湿度になった。そして、略１０分経過したのちには、楽器ケース２０内の湿度は７０％程度に維持された。
【００２６】
また、設定湿度が６５％で、湿度センサ１２が検出した楽器ケース２０内の初期の湿度が設定湿度よりも高い８０％程度である場合に、この調湿操作を長時間継続すると、楽器ケース２０内の湿度は、図５に示したように変化した。この場合、楽器ケース２０内の湿度が設定湿度よりも高くなっている場合には、高分子吸収体層１４は冷却されて楽器ケース２０内を除湿し、楽器ケース２０内の湿度が設定湿度よりも低くなっている場合には、高分子吸収体層１４は加熱されて楽器ケース２０内を加湿するといった処理が繰り返し行われる。
【００２７】
その間、楽器ケース２０内の湿度は、６０〜７０％の程度の間で変動していく。また、コントローラ１３は、湿度センサ１２の検出値に応じて切り替えスイッチを切り替えて、電流のプラスとマイナスを変更するだけでなく、電源からペルチェ素子１１に送られる電流の大きさも制御する。そして、このコントローラ１３によるペルチェ素子１１への通電の制御によって、楽器ケース２０内の湿度は設定湿度近くに維持される。
【００２８】
このように、本実施形態に係る調湿装置１０では、所定温度に冷却されたときに空気中に含まれる水分を吸収し、所定温度以上に加熱されたときに吸収している水分を空気中に発散する高分子吸収体層１４を、ペルチェ素子１１の上側絶縁基板１６に取り付けている。そして、楽器ケース２０の湿度制御空間に、上側絶縁基板１６と高分子吸収体層１４とを位置させた状態で、楽器ケース２０の下面にペルチェ素子１１を取り付けている。さらに、リード線１３ａを介して、ペルチェ素子１１にコントローラ１３の電源を接続するとともに、楽器ケース２０の湿度制御空間に湿度センサ１２を設けて、この湿度センサ１２を、リード線１３ｂを介してコントローラ１３に接続している。
【００２９】
このため、コントローラ１３の電源からペルチェ素子１１に送られる電流を切り替えたり調節したりすることにより、高分子吸収体層１４に水分を吸収させたり、その吸収した水分を空気中に発散させたりすることができる。これによって、楽器ケース２０内の空間の湿度を設定湿度に維持することができる。また、湿度センサ１２の検出値に基づいて、コントローラ１３がペルチェ素子１１を作動させるため、細かい制御が可能になる。これによって、楽器ケース２０内の湿度制御空間の湿度をより精度よく調節できる。
【００３０】
（第２実施形態）
図６は、本発明の第２実施形態に係る調湿装置の要部を示している。この調湿装置では、ペルチェ素子２１の上側絶縁基板２６の上面に、アルミ二ウムからなる複数の円錐状の針状体２８で構成される金属構造体が形成されている。複数の針状体２８は略一定間隔で左右前後に配置されており、各針状体２８間および各針状体２８の周囲に、各針状体２８を覆うようにして高分子吸収体層２４が形成されている。また、高分子吸収体層２４は、前述した高分子吸収体層１４と同一の材料で構成されている。この複数の針状体２８および高分子吸収体層２４を備えた調湿装置のそれ以外の部分の構成については、前述した第１実施形態に係る調湿装置１０と同一である。したがって、同一部分に同一符号を記して説明は省略する。
【００３１】
これによるとペルチェ素子２１における上側絶縁基板２６の熱を素早く高分子吸収体層２４に伝達することができる。すなわち、ペルチェ素子２１に通電して上側絶縁基板２６を冷却すると、アルミ二ウムからなる針状体２８で構成される金属構造体は熱伝導性に優れているため、素早く冷却されて冷たくなる。そして、高分子吸収体層２４は、上側絶縁基板２６側から徐々に冷却されるだけでなく、各針状体２８によって左右前後からも冷却されるため、高分子吸収体層２４は急冷される。
【００３２】
また、逆に、ペルチェ素子２１の上側絶縁基板２６を加熱した場合にも、アルミ二ウムからなる針状体２８で構成される金属構造体は素早く加熱されて熱くなり、高分子吸収体層２４は、上側絶縁基板２６と金属構造体とによって下側、左右側および前後側から加熱されて急加熱される。さらに、金属構造体を介して高分子吸収体層２４をペルチェ素子２１の上側絶縁基板２６に取り付けることにより、高分子吸収体層２４の取り付けがより強固になる。この複数の針状体２８および高分子吸収体層２４を備えた調湿装置のそれ以外の作用効果については、前述した第１実施形態に係る調湿装置１０と同様である。
【００３３】
（第３実施形態）
図７は、本発明の第３実施形態に係る調湿装置の要部を示している。この調湿装置では、ペルチェ素子３１の上側絶縁基板３６の上面に、銅からなる網状体３８で構成される金属構造体が形成されている。網状体３８は、格子状に形成された網体を上下に間隔を保って複数配置して構成されており、全体形状が長方体に形成されている。そして、各格子状の空間内を埋めるようにして高分子吸収体層３４が形成されている。高分子吸収体層３４は、前述した高分子吸収体層１４と同一の材料で構成されている。この網状体３８および高分子吸収体層３４を備えた調湿装置のそれ以外の部分の構成については、前述した第１実施形態に係る調湿装置１０と同一である。したがって、同一部分に同一符号を記して説明は省略する。
【００３４】
これによると、金属構造体をより細かく高分子吸収体層３４内に配置できるため、ペルチェ素子３１における上側絶縁基板３６の熱をさらに素早く高分子吸収体層３４に伝達することができる。また、網状体３８からなる金属構造体を介して高分子吸収体層３４をペルチェ素子３１の上側絶縁基板３６に取り付けるため、高分子吸収体層３４の取り付けがさらに強固になる。この網状体３８および高分子吸収体層３４を備えた調湿装置のそれ以外の作用効果については、前述した第１実施形態に係る調湿装置１０と同様である。
【００３５】
（第４実施形態）
図８は、本発明の第４実施形態に係る調湿装置の要部を示している。この調湿装置では、高分子吸収体層４４の内部に窒化アルミ二ウムからなる粒状体４４ａが混在している。この高分子吸収体層４４を備えた調湿装置のそれ以外の部分の構成については、前述した第１実施形態に係る調湿装置１０と同一である。したがって、同一部分に同一符号を記して説明は省略する。この高分子吸収体層４４を備えた調湿装置によっても、ペルチェ素子１１の上側絶縁基板１６の熱を素早く高分子吸収体層４４に伝達することができる。この高分子吸収体層４４を備えた調湿装置のそれ以外の作用効果については、前述した第１実施形態に係る調湿装置１０と同様である。
【００３６】
また、本発明に係る調湿装置は、前述した各実施形態に限定するものでなく、適宜変更して実施することができる。例えば、前述した各実施形態では、高分子吸収体層１４等を構成する材料として、アクアリック粉末にアクリル樹脂を３０％混合して成形したシートを２枚の不繊布間に挟み込んだものを用いたが、高分子吸収体層１４等を構成する材料は、これに限るものでなく、天然高分子類や他の合成高分子類からなる材料を層状に形成した成形物等を用いることもできる。
【００３７】
また、前述した各実施形態では、調湿装置１０等を取り付ける湿度制御空間を楽器ケース２０内の空間としたが、本発明に係る調湿装置１０等は、楽器ケース２０に限らず、食品を収容するための収容ケースや携帯電話のケース等、湿度の調節を行うことが好ましいケース類や、その他の装置の湿度調節用に用いることができる。さらに、第３実施形態における高分子吸収体層３４の内部に、粒状体４４ａを混在させることもできる。
【００３８】
これによると、ペルチェ素子３１の上側絶縁基板３６の熱をさらに素早く高分子吸収体層３４に伝達することができる。また、針状体２８、網状体３８および粒状体４４ａを構成する金属材料またはセラミック材料は、銅、アルミ二ウム、窒化アルミ二ウムに限らず、酸化アルミ二ウムや、その他の熱伝導性のよい金属材料やセラミック材料を用いることもできる。さらに、調湿装置１０等を構成するそれ以外の部分についても本発明の技術的範囲内で適宜変更することができる。
【図面の簡単な説明】
【００３９】
【図１】本発明の第１実施形態に係る調湿装置を備えた楽器ケースを示した概略構成図である。
【図２】調湿装置の要部を示した側面図である。
【図３】調湿装置が備えるペルチェ素子で高分子吸収体層を冷却したときの楽器ケース内の湿度と経過時間との関係を示したグラフである。
【図４】調湿装置が備えるペルチェ素子で高分子吸収体層を加熱したときの楽器ケース内の湿度と経過時間との関係を示したグラフである。
【図５】調湿装置が備えるペルチェ素子で高分子吸収体層の冷却・加熱を繰り返したときの楽器ケース内の湿度と経過時間との関係を示したグラフである。
【図６】本発明の第２実施形態に係る調湿装置の要部を示した断面図である。
【図７】本発明の第３実施形態に係る調湿装置の要部を示した断面図である。
【図８】本発明の第４実施形態に係る調湿装置の要部を示した断面図である。
【符号の説明】
【００４０】
１０…調湿装置、１１，２１，３１…ペルチェ素子、１２…湿度センサ、１３…コントローラ、１４，２４，３４，４４…高分子吸収体層、１５…下側絶縁基板、１６，２６，３６…上側絶縁基板、２０…楽器ケース、２８…針状体、３８…網状体、４４ａ…粒状体。
【図１】
2008261528.tif 000003
【図２】
2008261528.tif 000004
【図３】
2008261528.tif 000005
【図４】
2008261528.tif 000006
【図５】
2008261528.tif 000007
【図６】
2008261528.tif 000008
【図７】
2008261528.tif 000009
【図８】
2008261528.tif 000010